(57)【要約】      （修正有）【課題】所定のデザインに形成されかつオルゴールの音量が確保された、オルゴールのついた花瓶を提供する。【解決手段】オルゴールのついた花瓶１００であって、底部１０と、底部上に配置される支持部２０と、底部に対して間隔をあけた状態で支持部に支持されかつオルゴール４０の音を共鳴させて増幅する共鳴部３０と、共鳴部に固定されるオルゴールと、共鳴部及びオルゴールを囲う花瓶台部５０と、花瓶台部上に配置され花を挿し込み可能な花瓶部６０と、を備える。【選択図】図１
2019107351.tif 000002
【特許請求の範囲】
【請求項１】
オルゴールのついた花瓶であって、
底部と、前記底部上に配置される支持部と、前記底部に対して間隔をあけた状態で支持部に支持されかつ前記オルゴールの音を共鳴させて増幅する共鳴部と、前記共鳴部に固定される前記オルゴールと、前記共鳴部及び前記オルゴールを囲う花瓶台部と、前記花瓶台部上に配置され花を挿し込み可能な花瓶部と、を備え、
前記花瓶台部は、前記共鳴部及び前記オルゴールを囲むように配置された王冠又はティアラの形状を有し、
前記共鳴部は、前記花瓶台部の前記王冠又はティアラの形状の部分の内側に入り込む外径を有する円板状にそれぞれ形成され上下方向に対向して配置される２枚の板部と、前記２枚の板部に挟まれた共鳴空間の外周部分の一部を閉じるように配置される側壁部と、前記共鳴空間の外周部分のうち前記側壁部を除く部分に形成された開口部と、を有し、
前記側壁部は、前記共鳴空間の外周部分のうち半周程度を閉じるように前記板部の外周部分に沿って形成され、
前記オルゴールは、前記共鳴部の上側の板部の上面において前記開口部側に寄せて配置され、
前記支持部は、下側の板部の下面のうち中心部を囲む３箇所を支持し、前記共鳴部を３点で支持する、
ことを特徴とする、オルゴールのついた花瓶。
【請求項２】
前記花瓶部は、前記花瓶台部とは別体で形成され、
前記花瓶部の底部分は、その中央部に向けて下方に傾斜するテーパ面を有し、
前記花瓶台部は、前記花瓶部を保持可能な保持部を有し、
前記保持部は、前記花瓶台部の上部に形成されるとともに、前記テーパ面が嵌込まれるテーパ状のテーパ部を有することを特徴とする請求項１記載のオルゴールのついた花瓶。
【請求項３】
前記共鳴部は、前記共鳴空間の前記開口部側に配置されかつ前記２枚の板部を所定間隔あけた状態で接合する補強部を有することを特徴とする請求項１又は請求項２に記載のオルゴールのついた花瓶。
【発明の詳細な説明】
【技術分野】
【０００１】
本発明は、オルゴールのついた花瓶に関する。
【背景技術】
【０００２】
造花を収容した容器において音を奏でるオルゴールを設けた造花装置の構成が知られている（例えば、特許文献１）。この造花装置によれば、ユーザは目で造花を鑑賞しながら同時に耳でオルゴールの音を鑑賞することができる。したがって、上記構成の造花装置は、ユーザの聴覚と視覚に対して同時に訴えることができるものとなっている。
【先行技術文献】
【特許文献】
【０００３】
【特許文献１】実登３００６６７８号公報
【発明の概要】
【発明が解決しようとする課題】
【０００４】
ところで、上記構成の造花装置はユーザにオルゴールの音とともに造花を鑑賞させるものであるが、この造花装置において、造花を収容する容器に代えて、切り花を生けることが可能な花瓶を備える構成とすることで、ユーザは花瓶に生けた生花を楽しむことができる。すなわち、オルゴール付き花瓶の構成によれば、ユーザはオルゴールの音を感じながら同時に花瓶に生けたられた状態の生花を楽しむことができる。
【０００５】
一般的に、オルゴールそのものが発する音量は比較的小さい。このため、オルゴール付き花瓶において用いられるオルゴールとしては、その音量を確保するため、共鳴箱などの音を増幅するための共鳴器に取り付けた状態のものを用いる必要がある。この際、共鳴器としては、オルゴール音をより大きく増幅させるものが好ましい。また、オルゴール付き花瓶において、オルゴールや共鳴器といった発音部は、花瓶の機能性や外形デザインに影響を及ぼさないように花瓶の内部に配置することが好ましい。
【０００６】
しかしながら、花瓶の内部にオルゴールを配置する場合、花瓶のデザインによっては、収容可能な発音部の形状や大きさに制約が生じてしまう。その結果、花瓶を所定デザインに形成すると、オルゴール付き花瓶から発するオルゴール音が小さくなってしまい、鑑賞に適する音量を確保できない場合がある。
【０００７】
本発明では、以上のような事情に鑑み、所定のデザインに形成されかつオルゴールの音量が確保された、オルゴールのついた花瓶を提供することを目的とする。
【課題を解決するための手段】
【０００８】
本発明では、オルゴールのついた花瓶であって、底部と、底部上に配置される支持部と、底部に対して間隔をあけた状態で支持部に支持されかつオルゴールの音を共鳴させて増幅する共鳴部と、共鳴部に固定されるオルゴールと、共鳴部及びオルゴールを囲う花瓶台部と、花瓶台部上に配置され花を挿し込み可能な花瓶部と、を備え、花瓶台部は、共鳴部及びオルゴールを囲むように配置された王冠又はティアラの形状を有し、共鳴部は、花瓶台部の王冠又はティアラの形状の部分の内側に入り込む外径を有する円板状にそれぞれ形成され上下方向に対向して配置される２枚の板部と、２枚の板部に挟まれた共鳴空間の外周部分の一部を閉じるように配置される側壁部と、共鳴空間の外周部分のうち側壁部を除く部分に形成された開口部と、を有し、側壁部は、共鳴空間の外周部分のうち半周程度を閉じるように板部の外周部分に沿って形成され、オルゴールは、共鳴部の上側の板部の上面において開口部側に寄せて配置され、支持部は、下側の板部の下面のうち中心部を囲む３箇所を支持し、共鳴部を３点で支持する。
【０００９】
また、花瓶部は、花瓶台部とは別体で形成され、花瓶部の底部分は、中央部に向けて下方に傾斜するテーパ面を有し、花瓶台部は、花瓶部を保持可能な保持部を有し、保持部は、花瓶台部の上部に形成されるとともに、テーパ面が嵌込まれるテーパ状のテーパ部を有してもよい。また、共鳴部は、共鳴空間の開口部側に配置されかつ２枚の板部を所定間隔あけた状態で接合する補強部を有してもよい。
【発明の効果】
【００１０】
本発明によれば、花瓶は王冠又はティアラの形状を有するので、ユーザは、オルゴール音及び花瓶部に挿し込まれた花を鑑賞できるとともに、王冠又はティアラのデザインを楽しむことができる。また、共鳴空間を規定する２枚の板部は花瓶台部の王冠又はティアラの形状の部分の内側に入り込む外径を有する円板状であるので、板部の形状が矩形状や多角形状の場合に比べて、共鳴空間の体積を確保しつつ花瓶の内部に容易に収容することができる。また、共鳴部の側壁部は共鳴空間の外周部分を閉じるように板部の外周部分に沿って形成されるので、開口部の内部空間をより広く形成できる。また、側壁部は共鳴空間の外周部分の半周程度を閉じるように形成され、かつ、オルゴールは開口部側に寄せて配置されるので、オルゴールの音を大きく増幅させることができる。また、共鳴部は底部に対して間隔をあけた状態で支持されるので、より一層オルゴールの音を大きく増幅させることができる。また、支持部は共鳴部を３点支持するので、共鳴部を底部に対して間隔をあけた状態でかつ安定的に支持することができる。
【図面の簡単な説明】
【００１１】
【図１】第１実施形態に係るオルゴールのついた花瓶の一例を示す分解図である。
【図２】図１のオルゴールのついた花瓶を示す部分断面図である。
【図３】図１及び図２のオルゴールのついた花瓶の支持部及び共鳴部を示す底面図である。
【図４】図１及び図２のオルゴールのついた花瓶の共鳴部を示し、（ａ）は分解斜視図、（ｂ）は平面図、（ｃ）は背面図である。
【図５】図１及び図２のオルゴールのついた花瓶の共鳴部及びオルゴールを示し、（ａ）は平面図、（ｂ）は斜視図である。
【図６】図１及び図２のオルゴールのついた花瓶を示し、その一部を透過して見た平面図である。
【図７】第２実施形態に係るオルゴールのついた花瓶の要部の一例を示し、（ａ）は背面図、（ｂ）は平面図、（ｃ）は（ａ）の部分拡大図である。
【図８】第３実施形態に係るオルゴールのついた花瓶の要部の一例を示し、（ａ）は平面図、（ｂ）は（ａ）のＡ−Ａ線の沿った断面図である。
【発明を実施するための形態】
【００１２】
以下、本発明の実施形態について図面を参照しながら説明する。ただし、本発明は以下に説明する実施形態に限定されるものではない。また、図面においては、実施形態を説明するため、模式的に記載するとともに、一部分を大きく又は強調して記載するなど適宜縮尺を変更して表現している。以下の各図において、ＸＹＺ座標系を用いて図中の方向を説明する。このＸＹＺ座標系は、オルゴールのついた花瓶の前後方向をＸ方向と表記し、垂直方向をＹ方向と表記する。また、Ｘ方向及びＹ方向のいずれの方向にも直交する方向（左右方向）をＺ方向と表記する。Ｘ方向、Ｙ方向、及びＺ方向のそれぞれは、図中の矢印の方向が＋方向であり、矢印の方向とは反対の方向が−方向であるものとして説明する。
【００１３】
＜第１実施形態＞
第１実施形態に係るオルゴールのついた花瓶１００について、図１〜図６を参照しながら詳細に説明する。図１は、第１実施形態に係るオルゴールのついた花瓶１００の一例を示す分解図である。図１に示すように、オルゴールのついた花瓶（以下、単に「花瓶」と称する場合がある。）１００は、−Ｙ側から＋Ｙ側にかけて、底部１０と、支持部２０と、共鳴部３０と、オルゴール４０と、花瓶台部５０と、花瓶部６０とを有している。図２は、図１のオルゴールのついた花瓶１００を示す部分断面図である。図２において、底部１０、共鳴部３０、花瓶台部５０、及び花瓶部６０については、ＹＺ平面と平行な断面を表している。また、図２において、支持部２０及びオルゴール４０については、−Ｘ方向に花瓶台部５０を透過して見た際の側面を表している。図１及び図２において、オルゴールのついた花瓶１００の＋Ｘ側は正面側であり、−Ｘ側は背面側である。
【００１４】
図１及び図２に示すように、底部１０は、オルゴールのついた花瓶１００において−Ｙ側端部に配置されている。底部１０は、後述する花瓶台部５０の開口５１を−Ｙ側から閉じるように配置され、花瓶台部５０に取り付けられている。底部１０は、ＸＺ平面と平行な円板状の底板部１１と、底板部１１の上面（＋Ｙ側の面）１１ａから＋Ｙ方向にリング状に突出する突出部１２を有している。底板部１１の上面１１ａにおいて突出部１２に囲まれた円形状の領域（底部１０上面の凹部底面）１３は、ＸＺ平面と平行な平面状となっており、支持部２０が配置されている。突出部１２の外周面１２ａには、不図示の雄ネジが形成されている。この雄ネジは、後述する花瓶台部５０の雌ネジと螺合する。底部１０は、例えば、金属製であり、鋳造等により一体形成されている。
【００１５】
なお、底部１０は、上記した構成に限定されない。例えば、底部１０は、突出部１２を有さず底板部１１のみから構成されてもよいし、プラスチックなどの樹脂製や木製などであってもよい。また、底部１０は、例えばボルト及びナット等の接続部材を介して花瓶台部５０に取り付けられてもよい。また、底板部１１の上面１１ａにおいて支持部２０が配置される領域１３には、支持部２０を所定位置に位置決めするため、支持部２０を入り込ませることで支持部２０の相対的な移動を規制する凹状の部分や、支持部２０を当接させることで支持部２０の相対的な移動を規制する凸状の部分が設けられてもよい。
【００１６】
支持部２０は、底部１０上に配置され、底部１０に対して間隔をあけた状態で共鳴部３０を支持する。支持部２０は、底板部１１の上面１１ａの突出部１２に囲まれた領域１３に配置されている。支持部２０の下面（−Ｙ側の面）２１は、接合材（不図示）を介して底部１０に固着されている。支持部２０の上面（＋Ｙ側の面）２２は、接合材（不図示）を介して共鳴部３０に固着されている。この接合材としては、例えば、木工用ボンドが用いられる。木工用ボンドとしては、例えば、ポリウレタン系や、イソシアネート系、酢酸ビニル系、イソブテン・無水マイレン酸共重合系、にかわなどを主成分とするものが用いられる。なお、支持部２０は、上記したように接合材（不図示）を介して底部１０及び共鳴部３０に固着されることに限定されず、例えば、支持部２０は、ネジ（不図示）を介して底部１０及び共鳴部３０と接合されてもよい。
【００１７】
図３は、図１及び図２のオルゴールのついた花瓶１００の支持部２０及び共鳴部３０を示す底面図である。図３に示すように、支持部２０は、３つの支持部材２３，２３，２３から構成されている。支持部材２３は、木材からなる四角柱形状の部材である。なお、支持部２０は、上記構成に限定されず、例えば、支持部２０は、樹脂製や金属製であってもよいし、円柱形状や錐台形状などであってもよい。
【００１８】
３つの支持部材２３，２３，２３のそれぞれの形状及び寸法は、すべて同一に設定されている。３つの支持部材２３等は、ＸＺ方向に等間隔で配置されている。また、３つの支持部材２３等のそれぞれは、Ｙ方向に見た際の共鳴部３０の中心部３０Ａを囲むように中心部３０Ａを基準としてその周りに１２０°ずつずれた位置に配置されている。すなわち、支持部２０は、後述する下側の板部３２の下面３２ｂのうち中心部３２ｏを囲む３箇所を支持し、したがって共鳴部３０を３点で支持している。
【００１９】
なお、支持部２０は、上記した構成に限定されず、共鳴部３０を３点で支持する構成であれば任意である。例えば、３つの支持部材２３等は、形状又は寸法が互いに異なって形成されてもよいし、それぞれ異なる間隔で配置されてもよい。また、支持部２０は、３つの支持部材２３等を一体化した構成であってもよい。また、支持部２０は、底部１０に固着されずに底部１０上に載置された状態で配置されてもよい。
【００２０】
共鳴部３０は、オルゴール４０の音を共鳴させて増幅するために設けられる。図２に示すように、共鳴部３０は、底部１０に対して間隔ｄ１をあけた状態で支持部２０に支持される。共鳴部３０は、底部１０及び花瓶台部５０に離間した状態で配置されるが、底部１０あるいは花瓶台部５０と当接した状態で配置されてもよい。
【００２１】
図４は、図１及び図２のオルゴールのついた花瓶１００の共鳴部３０を示し、（ａ）は分解斜視図、（ｂ）は平面図、（ｃ）は背面図である。図４（ａ）〜（ｃ）に示すように、共鳴部３０は、２枚の板部３１，３２と、側壁部３３と、開口部３４とを有している。
【００２２】
２枚の板部３１，３２は、それぞれ同一の形状及び大きさに形成されている。板部３１，３２は、それぞれＹ方向を厚さ方向とするＸＺ方向に平行な円板状に形成されている。板部３１，３２は、後述する花瓶台部５０の側部５２の内側に入り込む外径Ｄを有している。２枚の板部３１，３２は、上下方向（Ｙ方向）に対向して、ＸＺ方向に平行に配置されている。２枚の板部３１，３２は、側壁部３３を挟んで配置されている。上側の板部３１の下面３１ｂは、側壁部３３の上面３３ａと接合されており、下側の板部３２の上面３２ａは、側壁部３３の下面３３ｂと接合されている。板部３１，３２と側壁部３３とは、例えば木工用ボンドなどの接合材（不図示）を介して接合されている。板部３１，３２は、ＭＤＦ合板（中密度繊維板）から形成される。このように板部３１，３２がＭＤＦ合板から形成されることで、オルゴール４０の音を大きく増幅することができる。なお、２枚の板部３１，３２は、上記した構成に限定されず、例えば、それぞれ異なる大きさ、厚さで形成されてもよいし、ＭＤＦ合板から形成されることに限定されず、例えば木板製や樹脂製などであってもよい。
【００２３】
側壁部３３は、２枚の板部３１，３２に挟まれた共鳴空間Ｓの外周部分の一部を閉じるように配置される。側壁部３３は、共鳴空間Ｓの外周部分のうち半周程度を閉じるように板部３１，３２の外周部分３１ｃ，３２ｃに沿って形成されている。側壁部３３は、Ｙ方向から見て、板部３１，３２の中心部３１ｏ，３２ｏを基準とする半円の円弧状に形成されている。すなわち、Ｙ方向から見て、板部３１，３２の中心部３１ｏ，３２ｏまわりにおける側壁部３３の形成領域の範囲の角度をθとした際に、角度θは、例えば１６０°〜２００°となっている。ただし、角度θは、好ましくは１７０°〜１９０°であり、より好ましくは１７５°〜１８５°であり、さらに好ましくは１８０°である。なお、図４では、角度θが１８０°の場合を示している。側壁部３３は、例えば木製である。側壁部３３は、木材を半円の円弧状に加工して形成されてもよいし、複数の木片を半円状に隙間なく並べて形成されてもよい。なお、側壁部３３は、共鳴空間Ｓの外周部分のうち半周程度を閉じるように配置されることに限定されず、例えば、共鳴空間Ｓの外周部分のうち全周あるいはほぼ全周を閉じるように配置されてもよい。この場合、角度θは、３６０°あるいは３６０°に近い角度に設定される。
【００２４】
開口部３４は、共鳴空間Ｓの外周部分のうち側壁部３３を除く部分に形成されており、Ｙ方向から見て共鳴空間Ｓの外周部分のうち側壁部３３とは反対側（＋Ｘ側）の約半周の部分に形成されている。
【００２５】
図５は、図１及び図２のオルゴールのついた花瓶１００の共鳴部３０及びオルゴール４０を示し、（ａ）は平面図、（ｂ）は斜視図である。図５に示すように、オルゴール４０は、共鳴部３０の上側の板部３１の上面（＋Ｙ側の面）３１ａに配置され、共鳴部３０の上面３１ａにおいて開口部３４側（−Ｘ側）に寄せて配置されている。すなわち、オルゴール４０は、共鳴部３０の上側の板部３１の自由端側に配置されている。また、オルゴール４０は、Ｙ方向から見て共鳴部３０の側壁部３３と重ならないように配置されるとともに、共鳴部３０の左右方向（Ｚ方向）の幅の中央部分に配置されている。オルゴール４０は、例えば不図示のネジを介して共鳴部３０に固定されている。
【００２６】
オルゴール４０は、例えば機械式オルゴールである。オルゴール４０は、フレーム部４１と、シリンダ部４２と、振動板４３と、ゼンマイ部４４とを有している。フレーム部４１は、共鳴部３０の上面（板部３１の上面）３１ａに固定されている。シリンダ部４２、振動板４３、及びゼンマイ部４４は、フレーム部４１上に配置されている。シリンダ部４２は、Ｘ方向を高さ方向とする円柱形状である。シリンダ部４２は、Ｘ方向に平行な軸回りに回転するように支持されている。シリンダ部４２の外周面には、複数の針部Ｎが植立されている。複数の針部Ｎは、振動板４３を弾くことで楽曲を奏でる位置に配置されている。振動板４３は、例えばＸＺ平面と略平行に配置された金属板である。振動板４３の先端部（−Ｚ側の端部）は、櫛歯状に形成されている。振動板４３としては、例えば、１８弁あるいは２３弁のものが用いられる。ゼンマイ部４４は、渦状に巻かれたゼンマイを備え、回転エネルギーを蓄積可能となっている。ゼンマイ部４４の上部には、ハンドル４５が設けられている。ゼンマイ部４４は、オルゴール４０の−Ｘ側に配置されている。
【００２７】
オルゴール４０は、ゼンマイがその中心軸（不図示）回りに巻きつくようにハンドル４５を回転させることで、ゼンマイ部４４に回転エネルギーが蓄積されるように構成されている。オルゴール４０は、上記したフレーム部４１等の部材に加えて、図示しないが、ゼンマイ部４４とシリンダ部４２との間に介在された調速機やギアなどを備えている。
【００２８】
なお、オルゴール４０は、上記した構成に限定されない。例えば、オルゴール４０は、ゼンマイを動力源とする構成に限定されず、例えば電動モータを搭載した構成であってもよく、電動モータを駆動してシリンダ部４２を回転させるものであってもよい。この場合、電動モータの制御を、花瓶１００の外側に設置したスイッチや花瓶１００から離れた位置からワイヤレススイッチにより行われるようにしてもよい。
【００２９】
オルゴール４０は、後述する花瓶台部５０の隙間Ｇや間隔ｇをあけた部分を介して外部から視認可能となっている。このため、オルゴール４０は、布で覆われた状態で配置されてもよい。この場合、布はハンドル４５を露出させた状態でオルゴール４０を覆うようにしてもよい。オルゴール４０を布で覆うことで、オルゴール４０を保護することができるとともに、オルゴール４０が外部から視認されることによる花瓶１００の美的外観に及ぼす影響を低減できる。
【００３０】
図１及び図２に戻り、花瓶台部５０は、底部１０の上側（＋Ｙ側）に配置され、共鳴部３０及びオルゴール４０を囲んで配置されている。花瓶台部５０は、側部５２と、アーチ部５３と、保持部５４とを有している。図６は、図１及び図２のオルゴールのついた花瓶１００を示す平面図である。なお、図６において、オルゴールのついた花瓶１００は、保持部５４の＋Ｙ側の部分及び花瓶部６０を透過して表している。また、図６（ｂ）は、図６（ａ）のオルゴール４０を透過して表した図である。図１、図２、及び図６に示すように、花瓶部６０は、左右方向（Ｚ方向）の中心部を通りかつＸＹ平面と平行な面に対して対称的に形成されている。花瓶台部５０は、側部５２及びアーチ部５３の構成により、共鳴部３０及びオルゴール４０を囲むように配置された王冠を模した形状を呈している。花瓶台部５０は、例えば、金属製であり、鋳造や溶接などにより一体形成されている。
【００３１】
側部５２は、共鳴部３０及びオルゴール４０を円状に囲んで形成され、王冠の側部に相当するデザイン形状を有している。側部５２の外周部分は、王冠において適用される装飾模様の形状となっている。
【００３２】
アーチ部５３は、側部５２の上端（＋Ｙ側端部）５２ａから保持部５４の下部５４ｂにかけてアーチ状に形成されている。アーチ部５３は、その長さ方向の中央部分が＋Ｙ側に凸状となった曲線状に形成されている。アーチ部５３は、保持部５４の下部５４ｂに接続され、保持部５４を支持している。
【００３３】
図６に示すように、アーチ部５３は、Ｙ方向に見て、花瓶台部５０の中央部分から放射状に６本配置されている。これら６本のアーチ５３ａのうち最も−Ｘ側に位置する２本のアーチ５３Ａ，５３Ａの互いの間隔ｇ２は、他のアーチ５３ａどうしの間隔ならびに最も−Ｘ側のアーチ５３Ａと他のアーチ５３ａとの間隔ｇ１よりも広く設定されている。したがって、花瓶台部５０の背面側（−Ｘ側）であって、左右方向（Ｚ方向）の幅の中央部分は、周囲に比べて広く開放された状態となっている。このように、花瓶台部５０の背面側には開放部５５が形成されている。
【００３４】
ここで、上述したように、上部にハンドル４５を有するゼンマイ部４４はオルゴール４０の−Ｘ側に配置され、かつ、オルゴール４０は共鳴部３０の左右方向（Ｚ方向）の幅の中央部分に−Ｘ側に寄せて配置されている。このため、オルゴール４０のハンドル４５は、花瓶台部５０において広く開放された部分に配置される。これにより、ハンドル４５がアーチ部と干渉することを回避するとともに、ユーザが上記開放された部分に容易に手を入れ、ハンドル４５を確実に回すことができるようにしている。
【００３５】
図１及び図６に示すように、側部５２はその周方向において隙間Ｇを有しており、かつ、アーチ部５３は互いに間隔ｇをあけて配置されている。これにより、花瓶台部５０の内側は、外側と通気可能な状態となっている。このため、オルゴール４０の音は、花瓶台部５０の内側でこもることなく、側部５２の外側へ伝わるようになっている。
【００３６】
側部５２の下端部（−Ｙ側端部）には、開口５１が形成されている。開口５１は、円形状となっている。上述したように、開口５１は底部１０によって−Ｙ側から閉じられている。
【００３７】
図１及びに図２に示すように、保持部５４は、花瓶台部５０の上部（＋Ｙ側の部分）の中央部分に形成されている。保持部５４は、花瓶部６０が嵌め込まれた状態で花瓶部６０を保持可能に形成されている。保持部５４は、上端部（＋Ｙ側端部）に開口５４ａを有する有底円筒状に形成されている。保持部５４は、上側（＋Ｙ側）から下側（−Ｙ側）にかけて、ＸＺ平面と平行な断面の内径ｄが徐々に小さくなるテーパ形状のテーパ部５４Ａを有している。テーパ部５４Ａは、後述する花瓶部６０のテーパ面６２が嵌込み可能に形成されている。したがって、テーパ部５４Ａは、花瓶部６０のテーパ面６２の形状及び大きさに対応して形成されており、テーパ部５４Ａの表面の曲率は、テーパ面６２の表面の曲率とほぼ同一に設定されている。なお、テーパ部５４Ａ及びテーパ面６２は、同一のテーパ角度で形成されてもよい。
【００３８】
花瓶部６０は、オルゴールのついた花瓶１００において＋Ｙ側端部に配置されている。花瓶部６０は、花瓶台部５０上に配置されている。花瓶部６０は、花瓶台部５０とは別体であり、花瓶台部５０に対して分離可能となっている。花瓶部６０は、中空状に形成され、上端（＋Ｙ側端部）に開口６１を有している。花瓶部６０は、一般的な花瓶のように、開口６１を介して花を挿し込み可能に形成されている。また、花瓶部６０は、生花を生けることが可能に形成され、内部に水あるいは保水材を溜めることが可能となっている。花瓶部６０に挿し込まれる花は、生花であるが、造花であってもよい。花瓶部６０は、ガラス製である。なお、花瓶部６０はガラス製に限定されず、例えばプラスチック等の樹脂製や金属製であってもよい。
【００３９】
花瓶部６０の底部分６３は、その中央部に向けて下方（−Ｙ側）に傾斜するテーパ面６２を有している。テーパ面６２は、花瓶台部５０のテーパ部５４Ａに嵌め込まれるように形成されている。テーパ面６２は、曲線状に傾斜しているが、直線状に傾斜してもよい。花瓶部６０は、テーパ面６２が花瓶台部５０のテーパ部５４Ａに嵌め込まれた状態で保持部５４に保持される。
【００４０】
花瓶部６０は、花瓶台部５０に対して＋Ｙ方向に離間させることで、保持部５４からの取り外しが可能となっている。また、保持部５４から取り外された花瓶部６０は、底部分６３を−Ｙ方向に向けた状態で、開口５４ａを介して保持部５４に挿入することで、テーパ部５４Ａにテーパ面６２が嵌め込まれ、再び保持部５４に取り付けることが可能となっている。
【００４１】
本実施形態に係るオルゴールのついた花瓶１００の寸法は、それぞれ、例えば以下のとおりに設定されている。なお、以下の花瓶１００の各寸法は、一例であって、これに限定されるものではなく、例えば、配置スペースやデザインの変更などに応じて変更可能である。
【００４２】
底板部１１の厚さ（Ｙ方向の幅）は５ｍｍ、支持部２０の底面（ＸＺ平面と平行な面）の縦及び横の長さはそれぞれ１０ｍｍ、支持部２０の高さ（Ｙ方向の長さ）は５ｍｍ、共鳴部３０の板部３１，３２の外径Ｄはそれぞれ１００ｍｍ、板部３１，３２の間隔（Ｙ方向の距離）Ｄ１は１０ｍｍに設定されている。また、板部３１，３２の厚さ（Ｙ方向の幅）Ｄ２は、例えばオルゴール４０の奏でる曲の音の周波数に応じて設定され、２ｍｍ〜４ｍｍ、あるいは６ｍｍに設定されているが、好ましくは２ｍｍである。板部３１，３２の厚さＤ２が２ｍｍに設定される場合、オルゴール４０の音をより一層大きく増幅させることができることが多い。
【００４３】
次に、本実施形態に係るオルゴールのついた花瓶１００の動作の一例及び使用例について説明する。
ユーザは、花瓶１００を置物として使用する際には、例えば玄関やリビングなどにおいて花瓶１００を見やすい場所に配置する。この際、花瓶１００の背面側（−Ｘ側）を壁側に向けた状態とし、花瓶１００の正面側（＋Ｘ側）が見えるように配置する。
【００４４】
また、ユーザは、オルゴール音を楽しむ際には、まず、花瓶１００の背面側の開放部５５を介してハンドル４５を回す。すると、ゼンマイ部４４には回転エネルギーが蓄積される。ゼンマイ部４４に蓄積された回転エネルギーは、不図示の調速機及びギアを介してシリンダ部４２に伝達され、シリンダ部４２を回転駆動させる。シリンダ部４２が回転すると、楽曲を奏でるように、針部Ｎは振動板４３を順次弾いていき発音する。
【００４５】
また、針部Ｎを弾くことで生じた振動板４３の振動エネルギーは、オルゴール４０のフレーム部を介して共鳴部３０に伝播する。そして、共鳴空間Ｓで共鳴により増幅されたオルゴール音は開口部３４を介して外部へ伝えられる。
【００４６】
また、ユーザは、花瓶部６０を使用する際には、花瓶部６０内に水を張って、切り花を挿し込む。花瓶部６０内に水を張る際、水を交換する際、花瓶部６０内部を洗浄する際には、花瓶部６０を花瓶台部５０から取外した状態で行う。なお、花瓶部６０に水に代えて保水材を入れて使用する場合についても同様である。
【００４７】
このように、第１実施形態によれば、花瓶１００は王冠の形状を有するので、ユーザは、オルゴール４０の音及び花瓶部６０に挿し込まれた花を楽しむことができるとともに、王冠状のデザインを楽しむことができる。また、共鳴空間Ｓを規定する２枚の板部３１，３２は花瓶台部５０の王冠形状部分の内側に入り込む外径Ｄを有する円板状であるので、板部３１等の形状が矩形状や多角形状の場合に比べて、共鳴空間Ｓの体積を確保しつつ花瓶１００の内部に容易に収容することができる。また、共鳴部３０の側壁部３３は共鳴空間Ｓの外周部分を閉じるように板部３１等の外周部分３１ｃ等に沿って形成されるので、開口部３４の内部の空間をより広く形成できる。また、側壁部３３は共鳴空間Ｓの外周部分の半周程度を閉じるように形成されるとともに、オルゴール４０は開口部３４側に寄せて配置されるので、オルゴール４０の音を大きく増幅させることができる。また、共鳴部３０は底部１０に対して間隔ｄ１をあけた状態で支持されるので、より一層オルゴール４０の音を大きく増幅させることができる。また、共鳴部３０は、支持部２０により３点支持されるので、共鳴部３０を底部１０に対して間隔ｄ１をあけた状態で安定的に支持することができる。
【００４８】
また、花瓶部６０は花瓶台部５０から容易に取り外すことができるので、ユーザは、花瓶部６０内の水（保水材）を交換する際や花瓶部６０を洗浄する際などに、花瓶部６０を花瓶台部５０から取り外して容易に作業することができる。また、花瓶部６０を保持部５４に嵌め込むだけで、花瓶部６０を花瓶台部５０に容易に取り付けることができる。花瓶部６０の下部及び花瓶台部５０の保持部５４は、テーパ状となっているので、ユーザは、花瓶部６０を保持部５４に容易に挿し込むことができる。
【００４９】
＜第２実施形態＞
続いて、第２実施形態について、図７を用いて説明する。図７は、第２実施形態に係るオルゴールのついた花瓶２００の要部の一例を示し、（ａ）は背面図、（ｂ）は平面図、（ｃ）は（ａ）の部分拡大図である。なお、以下の説明において第１実施形態と同一または同等の構成部分については同一符号を付けて説明を省略または簡略化する。第２実施形態に係るオルゴールのついた花瓶２００は、補強部７０を備える点で、上記した第１実施形態とは異なる。
【００５０】
図７に示すように、オルゴールのついた花瓶２００は、共鳴部２３０を有している。共鳴部２３０は、補強部７０を有している。補強部７０は、Ｙ方向に延びる棒状の柱部７１と、＋Ｙ側及び−Ｙ側の両端部に形成されたフランジ部７２，７３とを有している。柱部７１は、例えば、Ｙ方向を高さ方向とする円柱形状に形成されている。フランジ部７２，７３は、柱部７１の外周面７１ａから外側に向けてＸＺ平面方向に突出するようにＸＺ平面と平行な円板状に形成されている。
【００５１】
補強部７０は、共鳴部２３０の２枚の板部３１，３２の間に介挿され、２枚の板部３１，３２を所定間隔Ｄ１あけた状態で保持している。補強部７０は、共鳴空間Ｓの開口部３４側（−Ｘ側）であって共鳴空間Ｓの左右方向（Ｚ方向）の幅の中央部分の位置に配置されている。補強部７０は、例えば木製であり、例えば木工用ボンド等の接合材を介して板部３１，３２と接合されている。補強部７０の＋Ｙ側のフランジ部７２の上面７２ａは、上側の板部３１の下面３１ｂと接合されている。また、補強部７０の−Ｙ側のフランジ部７３の下面７３ｂは、下側の板部３２の上面３２ａと接合されている。補強部７０は、柱部７１の長さ方向（Ｙ方向）の端部にそれぞれフランジ部７２，７３を有することで、板部３１，３２との接合面の面積を確保している。
【００５２】
なお、補強部７０は、上記した構成に限定されない。例えば、補強部７０は、フランジ部７２，７３を備えない柱部７１のみの構成であってもよいし、共鳴部２３０において複数設けられてもよい。共鳴部２３０において複数の補強部７０が設けられる場合、これら複数の補強部７０は開口部３４の周方向に沿ってそれぞれ等間隔で並ぶように配置されてもよい。
【００５３】
このように、第２実施形態によれば、共鳴部２３０は補強部７０を備える構成であることにより、共鳴部２３０の構造上の強度をより一層確保することができる。したがって、第２実施形態によれば、より一層信頼性の高い花瓶２００を提供することができる。
【００５４】
続いて、第３実施形態について、図８を用いて説明する。図８は、第３実施形態に係るオルゴールのついた花瓶３００の要部の一例を示し、（ａ）は平面図、（ｂ）は（ａ）のＡ−Ａ線の沿った断面図である。なお、図８（ａ）では、図６と同様に、保持部５４の＋Ｙ側の部分及び花瓶部６０を透過して表している。また、図８（ｂ）では、花瓶部６０を省略して表している。以下の説明において第１実施形態と同一または同等の構成部分については同一符号を付けて説明を省略または簡略化する。図８に示すように、オルゴールのついた花瓶３００は、ストッパー部８１及び共鳴部３３０を有している。共鳴部３３０は、切り欠き部３１ｄを有している。
【００５５】
ストッパー部８１は、例えば略四角柱形状に形成されており、花瓶台部５０の内側に配置されている。ストッパー部８１の−Ｘ側の端部は、側部５２の内側面と接合されている。これにより、ストッパー部８１は、花瓶台部５０と一体的となっている。また、ストッパー部８１の＋Ｘ側の端部は、切り欠き部３１ｄに嵌め込まれている。なお、ストッパー部８１の−Ｘ側の端部は、側部５２の内側面と接合されることに代えて、側部５２の内側面に形成された溝に嵌め込まれるようにしてもよい。また、ストッパー部８１は、花瓶台部５０と一体で形成されてもよい。
【００５６】
切り欠き部３１ｄは、上側の板部３３１の外周部３３１ｃの一部を切り欠いた形状となっており、ストッパー部８１に対応する位置に形成されている。切り欠き部３１ｄは、ストッパー部８１を嵌め込み可能に形成され、例えば四角柱形状に対応する形状となっている。切り欠き部３１ｄは、上側の板部３３１の外周部３３１ｃのうち、オルゴール４０のハンドル４５に近接する−Ｘ側端部近傍に形成されている。なお、切り欠き部３１ｄは、上側の板部３３１に代えてあるいは上側の板部３３１とともに、下側の板部３２の外周部３２ｃに形成されてもよい。
【００５７】
ストッパー部８１が切り欠き部３１ｄに嵌め込まれることで、共鳴部３３０が花瓶台部５０に対して相対的に回転することが防止される。なお、ストッパー部８１及び切り欠き部３１ｄは、花瓶３００の−Ｘ側の部分に１つ設けられているが、これに限定されず、例えば、花瓶３００の＋Ｘ側，＋Ｚ側，又は−Ｚ側の部分に設けられてもよいし、複数設けられてもよい。また、ストッパー部８１は、切り欠き部３１ｄに嵌め込まれる構成であるが、これに代えて、共鳴部３３０に接合する構成であってもよく、この場合、切り欠き部３１ｄは設けられなくてもよい。
【００５８】
以上説明したように、第３実施形態によれば、ストッパー部８１は切り欠き部３１ｄに嵌め込まれており、この状態で、花瓶台部５０と共鳴部３０とは互いに係合している。このため、ユーザがオルゴール４０のハンドル４５を回転させた際に、共鳴部３３０に対して相対的な回転力が作用する場合であっても、共鳴部３３０と他との接合状態を維持して、花瓶３００から共鳴部３３０及びオルゴール４０が外れるのを防ぐことができる。したがって、第３実施形態によれば、より一層信頼性の高い花瓶３００を提供することができる。
【００５９】
以上、実施形態について説明したが、本発明は、上記した説明に限定されるものではなく、本発明の要旨を逸脱しない範囲において種々の変更が可能である。
【００６０】
例えば、上記の実施形態で説明した要件の１つ以上は、省略されることがある。また、上記の実施形態の構成を組み合わせてもよい。例えば、第１実施形態に係る花瓶１００の構成において、補強部７０及びストッパー部８１の双方を含む構成としてもよい。
【００６１】
また、上記した実施形態では、オルゴール４０は共鳴部３０の上面３１ａにおいて開口部３４側（−Ｘ側）に寄せて配置されるが、この際、オルゴール４０の一部が共鳴部３０の上面３１ａの−Ｘ側の領域に入るように配置されてもよいし、オルゴール４０の全体が共鳴部３０の上面３１ａの−Ｘ側の領域に入るように配置されてもよいし、オルゴール４０を共鳴部３０の上面３１ａの−Ｘ側端部上まで寄せて配置してもよい。また、オルゴール４０は、共鳴部３０の左右方向（Ｚ方向）の幅の中央部分から＋Ｚ方向又は−Ｚ方向にずれた位置に配置されてもよい。
【００６２】
また、上記した実施形態では、花瓶台部５０は、共鳴部３０及びオルゴール４０を囲むように配置された王冠の形状を有する側部５２及びアーチ部５３を有しているが、王冠の形状に代えてティアラの形状を有するものであってもよい。この場合、側部５２をティアラの形状に形成してもよい。なお、ティアラとは、例えば、宝石をちりばめた冠形の女性用髪飾りをいう。花瓶台部５０は、花瓶台部５０が王冠又はティアラの形状を有し形成されることにより、例えば、冠形状を有する形状に形成される。また、花瓶台部５０は、側部５２及びアーチ部５３のいずれか一方を含まずに構成されてもよい。花瓶台部５０がアーチ部５３を含まずに構成される場合、花瓶台部５０の保持部５４及び花瓶部６０を支持するための部材が別途設けられてもよい。
【００６３】
また、上記した実施形態では、花瓶部６０は、花瓶台部５０とは別体で形成されていたが、花瓶台部５０と一体で形成されてもよい。また、上記した実施形態では、花瓶部６０と花瓶台部５０とは、花瓶台部５０に対して花瓶部６０が嵌め込まれた状態で一体化する構成であったが、これに代えて、例えば、ボルト及びナット等の接続部材を介して一体化する構成であってもよいし、花瓶台部５０の上部に雌ねじ、花瓶部６０の下部に雄ねじをそれぞれ設け、花瓶部６０を花瓶台部５０に対して回転させて雄ねじを雌ねじに螺合させることで一体化する構成であってもよい。また、花瓶部６０と花瓶台部５０との接続面の形状についても、テーパ状を採用するか否かは任意である。
【符号の説明】
【００６４】
１０  底部
２０  支持部
３０，２３０，３３０  共鳴部
３１，３３１，３２  板部
３１ａ  上側の板部の上面
３２ｂ  下側の板部の下面              
３１ｃ，３３１ｃ，３２ｃ  板部の外周部
３３  側壁部
３４  開口部
４０  オルゴール
５０  花瓶台部
５４  保持部
５４Ａ  テーパ部
６０  花瓶部
６２  テーパ面
６３  底部分
７０  補強部
１００，２００，３００  オルゴールのついた花瓶
Ｓ  共鳴空間
【図１】
2019107351.tif 000003
【図２】
2019107351.tif 000004
【図３】
2019107351.tif 000005
【図４】
2019107351.tif 000006
【図５】
2019107351.tif 000007
【図６】
2019107351.tif 000008
【図７】
2019107351.tif 000009
【図８】
2019107351.tif 000010